Podtech/llm-jp-corpus-v4-ja_patent huggingface dataset:
(57)【要約】      （修正有）【課題】狭く奥まった箇所でも、周辺の物を取り外したり、Ｌ型継手が取り付けられている機械部品を取り外さずに、つかんで回すことができ、緩めたり、締めたりが可能になり、脱着又は交換が短時間で楽にできるモンキーレンチを提供する。【解決手段】モンキーレンチ１を構成する頭部２一端に、四角い差込口の六角体５を設け、モンキーレンチ１を構成する持ち手３先端に、四角い差込角を設け、後部に、四角い差込口の六角体５を設ける。【選択図】図１
0003201697.tif 000002
【実用新案登録請求の範囲】
【請求項１】
モンキーレンチを構成する頭部一端に、四角い差込口の六角体を設け、モンキーレンチを構成する持ち手先端に、四角い差込角を設け、後部に、四角い差込口の六角体を設けたモンキーレンチ。
【考案の詳細な説明】
【技術分野】
【０００１】
本考案は、配管工具に使用されているモンキーレンチに関するものである。
【背景技術】
【０００２】
従来、配管整備で使用していたモンキーレンチでは、L型継手本体にモンキーレンチ等の工具を横からつかんで、回して緩めたり締めたりし、脱着または、交換していた。
【先行技術文献】
【特許文献】
【０００３】
【特許文献１】実開平6−66960
【考案の概要】
【考案が解決しようとする課題】
【０００４】
配管の接続に使用されているL型継手は、主に、機械部品を配管または、配管用チューブと接続するもので、L型継手の一端は、ねじ山がありテーパーねじになっており、機械部品に、締め付けられて取り付けられている。
狭く奥まった箇所では、モンキーレンチでは上手くつかめなく、L型継手を緩めたり、締めたりが不可能になることが多く周辺の物を取り外したり、L型継手が取り付けられている機械部品を取り外してからのL型継手の脱着又は、交換となり、時間が掛かり大変な作業になっていた。
本考案は、以上の問題点を解決するためになされたものである。
【課題を解決するための手段】
【０００５】
モンキーレンチを構成する頭部一端に、四角い差込口の六角体を設け、モンキーレンチを構成する持ち手先端に、四角い差込角を設け、後部に四角い差込口の六角体を設ける。
以上の構成によるモンキーレンチ。
【考案の効果】
【０００６】
従来のモンキーレンチでは、つかんで回して緩めたり、締めたりが、不可能だった狭く奥まった箇所でも、周辺の物を取り外したり、L型継手が取り付けられている機械部品を取り外さずに、つかんで回すことができ、緩めたり、締めたりが、可能になり脱着又は、交換が短時間で楽にできるようになった。
従来狭く奥まった箇所では、L型継手に対して横方向から、つかんで回すことができず、つかんで回して緩めたり締めたりするにもスペースをひろくとる必要があlったが、本発明は、横からも縦からも、つかむことができる。  
縦方向では、モンキーレンチを構成する持ち手を取外し、四角い差込口の六角体にモンキーレンチ、スパナレンチ、メガネレンチを接続することができ、狭い箇所にあるL型継手を、つかんで回して緩めたり、締めたりができる。
奥まった箇所では、モンキーレンチを構成する持ち手後部の、四角い差込口の六角体にモンキーレンチ、スパナレンチ、メガネレンチを接続することができ、狭い箇所にあるL型継手を、つかんで回して緩めたり、締めたりができる。
四角い差込口には、ラチェットレンチ、を接続でき、L型継手を、つかんで回して緩めたり、締めたりが早回しできる。
横方向では、四角い差込口に、持ち手の四角い差し込み角を接続することで、従来のモンキーレンチとしても使用できる。
【図面の簡単な説明】
【０００７】
【図１】本考案の平面図
【図２】本考案の持ち手を取り外した図
【図３】本考案のモンキーレンチ頭部の平面図
【図４】本考案の持ち手の平面図と、先端部と後部を上から見た図
【考案を実施するための形態】
【０００８】
以下、本考案の実施の形態を説明する。
（イ）  モンキーレンチ（1）を構成する頭部（2）一端に、四角い差込口の六角体（5）を設ける。
（ロ）  モンキーレンチ（1）を構成する持ち手（3）先端に、四角い差込角（4）を設け、後部に、四角い差込口の六角体（5）を設ける。
本考案は、以上のような構造である。
本考案は、モンキーレンチ（1）を構成する持ち手（2）を取外し、四角い差込口の六角体（5）にモンキーレンチ、スパナレンチ、メガネレンチを接続することができ、狭い箇所にあるL型継手を、つかんで回して緩めたり、締めたりができる。
奥まった箇所では、モンキーレンチ（1）を構成する持ち手（3）後部の、四角い差込口の六角体（5）にモンキーレンチ、スパナレンチ、メガネレンチを接続することができ、狭い箇所にあるL型継手を、つかんで回して緩めたり、締めたりができる。
四角い差込口（5）には、ラチェットレンチ、を接続でき、L型継手を、つかんで回して緩めたり、締めたりが早回しできる。
横方向では、四角い差込口（5）に、持ち手（3）の四角い差し込み角（４）を接続することで、従来のモンキーレンチ（1）としても使用できる。
【符号の説明】
【０００９】
1  モンキーレンチ、  2  モンキーレンチ頭部、  ３  モンキーレンチ持ち手、  ４  四角い差込角、  ５  四角い差込口の六角体
【図１】
0003201697.tif 000003
【図２】
0003201697.tif 000004
【図３】
0003201697.tif 000005
【図４】
0003201697.tif 000006
(57)【要約】      （修正有）【課題】食品用ラッピングに使用するロールフイルム収納体において、切断された後残ったロールフイルムの端を繰り返し、容易に且つ安定して引き出す事ができるロールフイルム収納体を提供する。【解決手段】ロールフイルムは直方体をした収納体に入っており、収納体上蓋は開閉自由なＬ型をし、先端に有るフイルム切断用鋸刃７と接する収納体の前側面３（Ｃ面）の中央上方部近傍にＵ字型切り込み５を作り、輪ゴム製フイルム支持体６を固定する。収納体の蓋を閉じた時フイルム端をＣ面上１０ｍｍ程度押し上げる事ができ、フイルムの引き出しが容易になる。【選択図】図１
0003201672.tif 000002
【実用新案登録請求の範囲】
【請求項１】
輪ゴム製フイルム支持体を有するロールフイルム収納体に於いてロールフイルムは直方体をした収納体に入っており収納体上蓋は開閉自由なＬ型をしこの収納体の蓋を閉じた時先端に有るフイルム切断用鋸刃と接する収納体の前側面すなわちＣ面の中央上方部近傍にＵ字型切り込みを作り輪ゴム製フイルム支持体である部品輪ゴムを固定しフイルム端をＣ面上１０ｍｍ程度押し上げる事のできる輪ゴム製フイルム支持体６を有する事を特徴とするロールフイルム収納体。
【請求項２】
上記請求項１に記載のＣ面の中央上方部近傍にプレスで凹部を作り輪ゴム製フイルム支持体である部品輪ゴムを固定しフイルム端をＣ面上１０ｍｍ程度押し上げる事のできる輪ゴム製フイルム支持体６を有する事を特徴とするロールフイルム収納体。
【考案の詳細な説明】
【技術分野】
【０００１】本考案は食品ラッピングに使用する輪ゴム製フイルム支持体を有するロールフイルム収納体に関するものである。
【背景技術】
【０００２】食品ラッピングに使用する、ロールフイルム支持体を有するロールフイルム収納体の重要な役割の一つは、切断された後残ったローフイルムの端を、繰り返し、確実且つ容易に引き出す事である。この目的を達成する為の揚力を得る部品がカートン製フイルム支持体である。現在、多くの製品はフイルム端をＣ面上に設けたカートン製の長方形の辺で押し上げている。所が従来のカートン製フイルム支持体は揚力が不安定である。
【先行技術文献】
【０００３】
【特許文献】
【特許文献】特開平１０−１２９６７８
【考案の概要】
【考案が解決しようとする課題】
【０００４】食品ラッピング用のロールフイルムを使用する時、切断された後、残ったロールフイルムの端が収納体の外面に付着をし、押し上げ用のカートン片が不安定な為に取り出し難い欠点を改善し、繰り返し、確実且つ容易に引き出す事の出来る輪ゴム製フイルム支持体を有するロールフイルム収納体を提案する。
【課題を解決する為の手段】
【０００５】切断された後残ったロールフイルムの端を繰り返し且つ容易に引き出す為にはその端を収納体前側面（Ｃ面）より１０ｍｍ程度押し上げる必要がある。
そこでこの揚力を補う目的を達成する為の部品が輪ゴム製フイルム支持体である。この部品は塑性崩壊を免れるために微弱な力で反復運動する復元力を有する。本考案はこの輪ゴム製フイルム支持体を有するロールフイルム収納体を提案する。
【考案の効果】
【０００６】従来のフイルム収納体は食品をラッピングする時、残ったロールフイルムの端がフイルム収納体前側面（Ｃ面）に付着し数ｍｍしか持ち上がらなかったものが上記の輪ゴム製フイルム支持体を有するフイルム収納体を使用する事に因り、１０ｍｍ程度持ち上げる事が出来るようになり、空中に浮いたフイルム端を指先で安定して容易に引き出す事が可能となった。その結果心理的にも、実務的にも作業能率の向上が期待される。
【図面の簡単な説明】
【０００７】
【図１】本考案の輪ゴム製フイルム支持体を有するロールフイルム収納体の実用例を示す全体斜視図である。１  ロールフイルム収納体に於いて、フイルム切断用鋸刃の付いたＬ型をした蓋の先端外面をＡ面とする。２  ロールフイルム収納体に於いて、フイルム切断用鋸刃の付いたＬ型をした蓋の先端内面をＢ面とする。３  ロールフイルム収納体に於いて、フイルム切断鋸刃の付いたＬ型をした蓋を閉じた時Ｂ面と合わさる収納体前側面をＣ面とする。４  Ｃ面の反対内側面をＤ面とする。５  ロールフイルム収納体の前側面（Ｃ面）中央上部に設けたＵ字型切り込み部である。６  上記Ｕ字型切り込み部に固定設置された輪ゴム製フイルム支持体である。７  フイルム切断用鋸刃である。
【考案を実施する為の形態】
【０００８】輪ゴム製フイルム支持体を有するロールフイルム収納体に於いて、ロールフイルムは直方体をした収納体に入っており、収納体上蓋は開閉自由なＬ型をし、その先端にはフイルム切断用鋸刃がついている。フイルム切断鋸刃の付いている蓋の先端の外面をＡ面、対する内面をＢ面とし、蓋を閉めた時、フイルムを介してＢ面と接する直方体をした収納体の一面を前側面とし、この前側面をＣ面３、対する内面をＤ面４とする。Ｃ面上に於いて鋸刃先方向を下部方向、反対方向を上部方向とする。Ｃ面の中央上部にＵ字型切込５を入れ輪ゴム製フイルム支持体６を固定設置する。輪ゴム６はＣ面３を貫通しＤ面４で固定される。輪ゴムは切断用鋸刃の長軸と並行になり、収納体の蓋を開いた時、Ｃ面上、下部方向へ、Ｃ面に対し仰角９０度〜３０度程度を保持する。フイルム支持体は輪ゴムでも長方形のゴム板等でも良い。着色も可能である。又Ｃ面３中央上部をＵ字型にプレスしＣ面の凹部のみで輪ゴムを固定設置しても良い。又Ｃ面上の切込部は中央上部点から近傍の上下左右に移しても良い。フイルム端を１０ｍｍ程度押し上げる事の出来る輪ゴム製フイルム支持体を有するロールフイルム収納体を提案する。
【実施例】
【０００９】実施例はロールフイルム収納体と輪ゴム製フイルム支持体６を使用した。輪ゴムの直径は約１５ｍｍ、素材線径は約１ｍｍである。ロールフイルム収納体の前側面中央上部にＵ字型切込５を入れ、輪ゴムはその両端を通しＣ面３よりＤ面４に貫通させ、Ｄ面で固定した。輪ゴム製フイルム支持体６は収納体の蓋を開いた時、Ｃ面上、下部方向にＣ面に対し仰角９０度〜３０度程度を保持する。尚輪ゴムの復元力に重点を置いた時は中央上部に設けたＵ字型切り込み５の両端の貫通部の直径を１ｍｍより少し太めにし、輪ゴムの自由度を増せば歪力を捩じれ、撓み、曲がり、を利用し、ベクトル的に分散でき輪ゴムの復元力の維持に寄与する事が可能となる。
【産業上の利用の可能性】
【００１０】食品用ロールラッピングフイルムの使用は家庭内に於いても、職場に於いても多くなっている。より取り出し易く使い易い輪ゴム製支持体を有するロールフイルム収納体を提供する事はユーザー側にとっても、製造側にとっても、使い易い、作業効率の良い、高付加価値製品の普及に繋がると思われる。
【図１】
0003201672.tif 000003
(57)【要約】      （修正有）【課題】嵩張らず、持ち運びしやすく、ポケットや鞄から出し入れの必要がなく、音楽を聴く時も両手フリーにできるスマートフォンケースを提供する。【解決手段】スマートフォンを収容できる内部空間を有し、上部開口８と下部開口１０を有する四方形のケースの背面外側の上部先端に、ジャンパーホック６ａをつけた保持上部ベルト１の一端を固定し、ケースの背面外側の下部にも、ジャンパーホック６ｂをつけた保持下部ベルト９の一端を固定し、保持上部ベルトの固定部に対向する正面外側にジャンパーボタン７ａを設け、保持下部ベルトの固定部の対向する正面外側にジャンパーボタン７ｂを設け、このように構成された吊りスマートフォンケース４を保持上部ベルトの中央辺りの箇所にナスカン２を取り付けて、ベルトステイループに装着して使用する。【選択図】図１
0003201671.tif 000002
【実用新案登録請求の範囲】
【請求項１】
スマートフォンを収容できる程の内部空間を有し、上部と下部を開口した四方形のケースの背面外側の上部の任意の箇所の先端に、ジャンパーホックをつけた保持上部ベルトの一端を固定し、ケースの背面外側の下部にも任意の箇所に、ジャンパーホックをつけた保持下部ベルトの一端を固定し、保持上部ベルトの固定部に対向する正面外側にジャンパーボタンを設け、保持下部ベルトの固定部の対向する正面外側にジャンパーボタンを設け、このように構成された吊りスマートフォンケースを保持上部ベルトの中央辺りの箇所にナスカンを取り付けて、ベルトステイループに装着して使用する事を特徴とする吊りスマートフォンケース。
【考案の詳細な説明】
【技術分野】
【０００１】  本発明はベルトステイループに装着して使用するスマートフォンケースに関するものである。
【背景技術】
【０００２】  従来、スマートフォンはポケットか鞄に入れて持ち運びしていた。
布やビニールで吊り下げるケース（特許文献１参照）、クリップで衣類に挟むケース（特許文献２）、指でスマートフォンを取り出すケース（特許文献３）等が知られている。
【先行技術文献】
【特許文献】
【０００３】
【特許文献１】  特開２０１３−１４７２６０号公報
【特許文献２】  登録実用新案第３１７０１８２号公報
【特許文献３】  登録実用新案第３１７３２６２号公報
【考案の概要】
【考案が解決しようとする課題】
【０００４】  そのため次のような問題点があった。
（イ）  ポケットや鞄にスマートフォンを収納すると嵩張り、スマートフォンの操作の          際は、いちいちポケットや鞄から取り出していた。
（ロ）  特許文献１に示された先行技術は、鞄の外にぶら下げているので操作しづらく          、布やビニールの場合耐久性に欠ける。又、歩きながら音楽が聴けない。
（ハ）  特許文献２に示された先行技術は、ポケットからいちいち取り出さなければな          らず手間がかかる。
（ニ）  特許文献３に示された先行技術は、持ち運びの際はポケットや鞄に入れたり、          操作の際手持ちでいちいち指で取り出す手間がかかる。
【課題を解決するための手段】
【０００５】  スマートフォンを収容できる程の内部空間を有し、上部と下部を開口した四方形のケースの背面外側の上部の任意の箇所の先端に、ジャンパーホックをつけた保持上部ベルトの一端を固定する。ケースの背面外側の下部にも任意の箇所に、ジャンパーホックをつけた保持下部ベルトの一端を固定する。保持上部ベルトの固定部に対向する正面外側にジャンパーボタンを設け、保持下部ベルトの固定部の対向する正面外側にジャンパーボタンを設ける。このように構成された吊りスマートフォンケースを保持上部ベルトの中央辺りの箇所にナスカンを取り付けて、ベルトステイループに装着して使用する。
以上の構成よりなる吊りスマートフォンケースである。
【考案の効果】
【０００６】  スマートフォンをポケットや鞄に入れる事なく持ち運びができる。
スマートフォンの装脱着が簡単で出し入れがしやすい位置にある。
手ぶらで音楽が聴ける。
【図面の簡単な説明】
【０００７】
【図１】本考案の斜視図。
【図２】本考案の使用例を示す正面図。
【考案を実施するための形態】
【０００８】  以下、本考案を実施するための形態について説明する。
スマートフォン（５）を収容できる程の内部空間を有し、上部と下部を開口した四方形のケースの背面外側の上部の任意の箇所の先端に、ジャンパーホック（６ａ）をつけた保持上部ベルト（１）の一端を固定する。ケースの背面外側の下部にも任意の箇所に、ジャンパーホック（６ｂ）をつけた保持下部ベルト（９）の一端を固定する。保持上部ベルト（１）の固定部に対向する正面外側にジャンパーボタン（７ａ）を設け、保持下部ベルト（９）の固定部の対向する正面外側にジャンパーボタン（７ｂ）を設ける。このように構成された吊りスマートフォンケース（４）を保持上部ベルト（１）の中央辺りの箇所にナスカン（２）を取り付けて、ベルトステイループ（３）に装着して使用する。
本考案は、以上のような構造である。
本考案を使用する時は、吊りスマートフォンケース（４）と一体になったナスカン（２）をベルトステイループ（３）に取り付け、吊り下げて持ち運びできる。スマートフォンケース（４）の保持上部ベルト（１）と保持下部ベルト（９）のジャンパーホック（６ａ）（６ｂ）をスマートフォンケース（４）のジャンパーボタン（７）に留める。下部開口部（１０）にイヤホンジャック（１１）を差し込みスマートフォン（５）の音楽を聴く。又、上部開口部（８）と下部開口部（１０）いずれよりもスマートフォン（５）を出し入れすることができる。
【符号の説明】
【０００９】１    保持上部ベルト
２    ナスカン
３    ベルトステイループ
４    吊りスマートフォンケース
５    スマートフォン
６ａ  ジャンパーホック
６ｂ  ジャンパーホック
７ａ  ジャンパーボタン
７ｂ  ジャンパーボタン
８    上部開口部
９    保持下部ベルト
１０  下部開口部
１１  イヤホンジャック
【図１】
0003201671.tif 000003
【図２】
0003201671.tif 000004
(57)【要約】      （修正有）【課題】重石である御影石が一体型に見えて見栄えが良く、全国発送が簡単にできる置き看板を提供する。【解決手段】重石を御影石にし、且つ２分割にする事で発送しやすく見栄えも良くなる。【選択図】図２
0003201674.tif 000002
【実用新案登録請求の範囲】
【請求項１】
御影石を二分割し、中央の金物部分でつなぎ合わせた土台を特徴とした置き看板。
【考案の詳細な説明】
【考案の詳細な説明】
【技術分野】
【００１】この考案は、御影石を置き看板の重石に用いた、広告板に関するものである。
【背景技術】
【００２】従来、土台の重石に鉄板を取り付けたり、コンクリートで作った物があった。
【考案が解決しようとする課題】
【００３】従来の物は次の様な問題点があった
（イ）従来の置き看板は、一体物の重石で重量があり発送が困難であった。
（ロ）従来の置き看板は、コンクリート製の重石等で見栄えも良くなかった。
本考案は、これらの欠点を除くためになされたものである。
【課題を解決するための手段】
【００４】今その解決手段を図面に追いながら説明すれば
（イ）二分割された御影石を、置き看板本体の両サイドから差し込む。
（ロ）置き看板本体の底の部分からボルトで御影石を固定する。
【考案を実施するための形態】
【００５】以下、本案の実施の形態について説明する。
（イ）本考案の置き看板は、重石である御影石が一体に見えて高級感がある。
【考案の効果】
【００６】本考案は、御影石が一体型に見えて見栄えが良く、二分割できるので全国発送が簡単にできる様になる。
【図面の簡単な説明】
【図１】本考案の正面図である。
【図２】本考案の側面図である。
【図３】本考案の平面図である。
【符号の説明】１  御影石重石  ２．重石固定用ボルト穴  ３．置き看板本体
【図１】
0003201674.tif 000003
【図２】
0003201674.tif 000004
【図３】
0003201674.tif 000005
(57)【要約】      （修正有）【課題】軽快で快適な乗り心地を提供できるように工夫したパンクしない自転車用、車イス用車輪を提供する。【解決手段】アルミ合金と、ウレタンスポンジ２とＦＲＰ、および、ノーパンクタイヤＴＰＲの組み合わせにより、軽量で安全で衛生的にも配慮したことを特徴とする。【選択図】図２
0003201667.tif 000002
【実用新案登録請求の範囲】
【請求項１】
車イスや自転車の車輪において、一番外側にノーパンクタイヤを設けその内側にノーパンクタイヤを装着するアルミ合金製の台輪を形設するが台輪はノーパンクタイヤを両側から挟む形でかつノーパンクタイヤの芯より５ｍｍほど突き出る形で形設し、この台輪の内側面に車輪軸から等間隔で放射線状に伸びる８本のホークが設置されるがこの場合ホークは車軸と台輪に各３ｍｍの深さで差し込み固定し、ホークとホークの相互間はウレタンスポンジ材を用いて埋めた形で内造作面が形成し、内造作面は車軸に当接されている中心部が車軸の長さ厚みを有し中芯部から外側へ台輪に向ってしだいに細まっていく形状で形成し、内造作面の表面はＦＲＰで固め、その表面に二重桜の様な桜模様を施したパンクしない自転車用、車イス用車輪。
【考案の詳細な説明】
【技術分野】
【０００１】  従来の車イスの車輪は、鉄製のホークですき間が多くほこりなどが溜まり衛生的にも悪く、重量もあり、また、指等が絡まるおそれがあり初心者や老人、子供達が大変苦労していたので、各病院内老人ホーム福祉施設内で車イス等を軽量で手入れが簡単な安全なもので、軽快で快適な乗り心地を提供できるように工夫したパンクしない自転車用、車イス用車輪に関するものである。
【背景技術】
【０００２】  従来、自転車、及び、車イスの車輪は鉄材で何十本のホークで作られている。
【先行技術文献】
【特許文献】
【０００３】
【特許文献１】  特開２００６−３１５６４９号公報
【特許文献２】  特開平１１−３４８５０７号公報
【考案の概要】
【考案が解決しようとする課題】
【０００４】  従来の車輪は、鋼鉄製で、かつ、何十本のホークで支えて、その隙間にはほこりなどが絡みついて、非衛生的で、又、掃除も大変でした。
重量も重く、タイヤの空気漏れも生じ、走りも悪くなり大変苦労した。
本考案は以上の問題を解決するためになされたものである。
【課題を解決するための手段】
【０００５】  車イスや自転車の車輪において、一番外側にノーパンクタイヤを設けその内側に、ノーパンクタイヤを装着するアルミ合金製の台輪を形設するが、台輪はノーパンクタイヤを両側から挟む形で、かつ、ノーパンクタイヤの芯より５ｍｍほど突き出る形で形設される。
この台輪の内側面に、車輪軸から等間隔で放射状に伸びる８本のホークが設置されるが、この場合、ホークは車軸と台輪に各３ｍｍ深さで差し込み固定される。
ホークとホークの相互間はウレタンスポンジ材を用いて埋めた形で内造作面が形成される。内造作面は車軸に当接されている中心部が車軸の長さ厚みを有し、中芯部から外側へ台輪に向かってしだいに細まっていく形状で形成される。
内造作面の表面はＦＲＰで固め、その表面に二重桜の様な桜模様を施す。
更に軽快に走れて、ホークの隙間が無いのでほこりも着かない。
掃除も簡単である。
また、手を絡めることなく安全である。
表面には桜の花模様を描き使用者の癒しにもなる。
以上を本考案の特徴とする。
【考案の効果】
【０００６】  本考案は、車輪の軽量化により、老若男女問わず、また、初めて使用する人にも快適に乗れる。
また、自転車、車イス等を管理する人達に効力を発揮するものである。
【図面の簡単な説明】
【０００７】
【図１】  本考案の側面から見た断面図である。
【図２】  本考案を自転車に取付けた状態における正面から見た断面図である。
【図３】  本考案における車輪の内造作面の表面に桜模様を施した様子を示した側面図である。
【図４】  本考案に取付けたノーパンクタイヤの取付けた状態の構造の説明図である。
【考案を実施するための形態】
【０００８】  以下、本考案の実施の形態を説明する。
（イ）車輪の構造（１）のアルミ合金を組みウレタンスポンジ（２）を流し込み固める。
（ロ）ノーパンクタイヤ（３）、材質ＴＰＲを結合部分（４）に接着剤コニシＧ１７で結    合する。
（ハ）車軸側、台輪側にアルミ合金フレーム差込部分（５）に約３ｍｍ差し込む。
（ニ）車輪の表面ＦＲＰに二重桜模様（６）を描く。
（ホ）車イス用ノーパンクタイヤ（７）３０ｍｍ。
（ヘ）自転車用ノーパンクタイヤ（８）５ｍｍ程大きくする。
（ト）内造作部分（９）はウレタンスポンジを流し込む。
（チ）台輪部分（１０）アルミ合金。
本考案は以上のような構造である。
本考案は、各病院内老人ホーム福祉施設内で車イス等を軽量で手入れが簡単な安全なものである。
自転車にも使用できる。
【符号の説明】
【０００９】    １  車輪の構造
２  ウレタンスポンジ
３  ノーパンクタイヤ
４  結合部分
５  アルミ合金フレーム差込部分
６  表面ＦＲＰ仕上、二重桜模様
７  車イス用ノーパンクタイヤ３０ｍｍ
８  自転車用ノーパンクタイヤ５ｍｍ大きくする
９  内造作ウレタンスポンジ
１０  アルミ合金台輪
【図１】
0003201667.tif 000003
【図２】
0003201667.tif 000004
【図３】
0003201667.tif 000005
【図４】
0003201667.tif 000006
(57)【要約】      （修正有）【課題】多種類の直径の違う鍋蓋を支えると同時に、その鍋蓋上の水滴を収集することによって、水滴がカウンターに垂れることを避ける鍋蓋ラックを提供する。【解決手段】台座１を含み、台座トップの後ろ側にソケット２を設置してあり、ソケットの中にストラット３を設置してあり、ストラットのトップにはガイド溝３０１を設置し、ガイド溝の底には鍋蓋を立てて支える位置決め溝３０２が設置してあり、台座のトップにテーパー穴、台座の前端面に引き出し４を設置してあり、テーパー穴と引き出しが繋がっている。【選択図】図１
0003201665.tif 000002
【実用新案登録請求の範囲】
【請求項１】
鍋蓋ラックにおいて、台座を含み、その台座の上部にソケットが設けられ、そのソケットの中にはストラットが設けられ、そのストラットの上部にはガイド溝が設けられ、そのガイド溝の底には鍋蓋位置決め溝が設けられ、その台座の上部にはテーパー穴が設けられ、その台座の前端面に引き出しが設けられ、そのテーパー穴と引き出しが繋がっていることを特徴とする鍋蓋ラック。
【請求項２】
請求項１に記載の鍋蓋ラックにおいて、その台座の底部にはスキッドパッドが設けられていることを特徴とする鍋蓋ラック。
【請求項３】
請求項１に記載の鍋蓋ラックにおいて、そのスキッドパッドはゴムで作られ、そのスキッドパッドの厚さは１mm−2mmで、スキッドパッドと台座の間は固定されていることを特徴とする鍋蓋ラック。
【請求項４】
請求項１に記載の鍋蓋ラックにおいて、そのガイド溝はV字溝あるいは円弧状溝であることを特徴とする鍋蓋ラック。
【請求項５】
請求項１に記載の鍋蓋ラックにおいて、その鍋蓋の位置決め穴はアーク形状であることを特徴とする鍋蓋ラック。
【考案の詳細な説明】
【技術分野】
【０００１】
本実用新型は新規鍋蓋ラックに関わる。
【背景技術】
【０００２】
キッチンで料理する時、鍋の蓋は熱せられるから、直接にプラテンに置けない、鍋蓋ラックが必要になり、鍋蓋でラジエーティングする、同時に、取るにも便利で、再び鍋をカバーすることに便利である。
【０００３】
しかし、現有の技術では鍋蓋ラックの構造は簡単すぎ、蓋上の水滴を効果的に収集することができない、だから、水滴はカウンターにも垂れ、後期クリアする必要がある。
【考案の概要】
【考案が解決しようとする課題】
【０００４】
本実用新型の解決する必要な技術問題は新規の鍋蓋ラックを提供することで、本措置は多種類の直径の違う鍋蓋を支えると同時に、その鍋蓋上の水滴を収集できることによって、水滴はカウンターに垂れることを避ける。
【課題を解決するための手段】
【０００５】
以上の問題を解決するために、本実用新型は以下の技術案を取る：新型鍋蓋ラックは台座を含め、その台座のトップに後ろ側にソケットを設置してあり、そのソケットの中ストラットを設置してあり、そのストラットのトップにはガイド溝を設置してあり、そのガイドの底に鍋蓋位置決め溝が設置してあり、その台座のトップにテーパー穴を設計してあり、その台座の前端面に引き出しを設置してあり、そのテーパー穴と引き出しが繋がっている。
【０００６】
優秀な選びとして、その台座の底部にはスキッドパッドを設置してある。
【０００７】
優秀な選びとして、そのスキッドパッドはゴムで作られた、そのスキッドパッドの厚さは１mm−2mmで、スキッドパッドと台座の間はのり付けで固定する。
【０００８】
優秀な選びとして、そのガイド溝はV字溝あるいは円弧状溝である。
【０００９】
優秀な選びとして、その鍋蓋の位置決め溝はアーク形である。
【考案の効果】
【００１０】
本実用新型の有益な効果は：本措置は多種類の直径の違う鍋蓋を支えると同時に、その鍋蓋上の水滴を収集できることによって、水滴はカウンターに垂れることを避ける、本措置の構造が比較的簡単で、コストが低い、普及することに相応しい。
【図面の簡単な説明】
【００１１】
【図１】本実用新型のフロントビューである。
【図２】台座の俯瞰図である。
【考案を実施するための形態】
【００１２】
これから附図をあわせて本実用新型の優秀な実施例に対して詳しく紹介する、本実用新型のメリットと特徴はこの分野の技術者にもっと簡単に理解されるから、本実用新型の保護範囲をより明白ではっきりに定義できる。
【００１３】
図面１と図面２に示された新型の鍋蓋ラックを参照してください、台座１を含め、その台座１のトップに後ろ側にソケット２を設置してあり、そのソケット２の中ストラット３を設置してあり、そのストラット３のトップにはガイド溝301を設置してあり、そのガイド溝301の溝の底に鍋蓋位置決め溝302が設置してあり、その台座１のトップにテーパー穴101を設計してあり、その台座1の前端面に引き出し4を設置してあり、そのテーパー101穴と引き出し4が繋がっている。
【００１４】
本実用新型の中一つの好ましい実施例として、その台座１の底部にはスキッドパッド111を設置してある。
【００１５】
本実用新型の中一つの好ましい実施例として、そのスキッドパッド111はゴムで作られ、そのスキッドパッド111の厚さは1.5mm、そのスキッドパッド111と台座１の間はのり付けで固定する。
【００１６】
本実用新型の中一つの好ましい実施例として、そのガイド溝301はV字溝あるいは円弧状溝である。
【００１７】
本実用新型の中一つの好ましい実施例として、その鍋蓋の位置決め溝302はアーク形である。
【００１８】
本実用新型の有益な効果は：本措置は多種類の直径の違う鍋蓋を支えると同時に、その鍋蓋上の水滴を収集できることによって、水滴はカウンターに垂れることを避ける、本措置の構造が比較的簡単で、コストが低い、普及することに相応しい。
【００１９】
以上は本実用新型の基本原理、主な特徴と本実用新型のメリットを示し説明した 。この分野の技術者は分かるべきところは、本実用新型上記実施例からの制限なし、上記実施例と説明書が叙述するのはただ本実用新型の原理で、本実用新型の精神と範囲を離せない前提の下で、本実用新型は引き続き変化と改善がある、これらの変化と改善は保護された本実用新型範囲以内に属する。本実用新型の必要な保護範囲は別紙の権利要求書及びそのイクイバレントで定義する。    
【符号の説明】
【００２０】
１  台座
２  ソケット
３  ストラット
【図１】
0003201665.tif 000003
【図２】
0003201665.tif 000004
【手続補正書】
【提出日】平成27年10月22日(2015.10.22)
【手続補正１】
【補正対象書類名】実用新案登録請求の範囲
【補正対象項目名】請求項３
【補正方法】変更
【補正の内容】
【請求項３】
請求項２に記載の鍋蓋ラックにおいて、そのスキッドパッドはゴムで作られ、そのスキッドパッドの厚さは１mm−2mmで、スキッドパッドと台座の間は固定されていることを特徴とする鍋蓋ラック。
(57)【要約】      （修正有）【課題】四肢が不自由な方、高齢等で指先に力が入らない方がブリスター・パック入りの錠剤を容易に取り出すことができる錠剤取出し器具を提供する。【解決手段】上箱１と下箱２が開閉可能に連結されており、上箱が突出する凸部分３を有し、下箱が穴５の開いた板４を有し、上箱と下箱を閉じると凸部が穴を通る構成となって居り、上箱と下箱とでブリスター・パック入りの飲み薬錠剤をはさんで上箱と下箱を閉じると錠剤が下箱に落ち、容易に錠剤が取り出せる。【選択図】図１
0003201650.tif 000002
【実用新案登録請求の範囲】
【請求項１】
ブリスター・パック入りの錠剤を取り出すための器具
【請求項２】
凸部分を持つ上部の箱と穴の開いた板を持つ下部の箱にブリスター・パック入りの飲み薬錠剤をはさみ  上下の箱を閉じたときに錠剤が下の箱に落ち、容易に錠剤が取り出せる。
【考案の詳細な説明】
【技術分野】四肢の不自由な方、高齢で指先の力が衰えた方がブリスター・パックの包装による薬品錠剤を容易に取り出すために考案されたもの。
【産業場の利用可能性】
病院  介護施設などで看護師  介護士が  患者のために錠剤を投与するとき、錠剤に手を触れることなく取り出すことが出来、衛生上管理上役に立つ。
【図面の簡単な説明】
【図１】  立面図
【図２】  側面断面図（開いた時）
【図３】  側面断面図（閉じた時）
【図４】  ブリスター・パック入錠剤１  上箱
２  下箱
３．突起（凸）部分
４．下箱の板部分
５  下箱の板部分に明けた穴
▲４▼  ブリスター・パック入り錠剤
【図１】
0003201650.tif 000003
【図２】
0003201650.tif 000004
【図３】
0003201650.tif 000005
【図４】
0003201650.tif 000006
【手続補正書】
【提出日】平成27年9月29日(2015.9.29)
【手続補正１】
【補正対象書類名】実用新案登録請求の範囲
【補正対象項目名】全文
【補正方法】変更
【補正の内容】
【実用新案登録請求の範囲】
【請求項１】
上箱と下箱が開閉可能に連結されており、前記上箱が突出する凸部分を有し、前記下箱が穴の開いた板を有し、前記上箱と前記下箱を閉じると前記凸部が前記穴を通る構成となって居り、前記上箱と前期下箱とでブリスター・パック入りの飲み薬錠剤をはさんで前記上箱と前期下箱を閉じると錠剤が下箱に落ち、容易に錠剤が取り出せることを特徴とする錠剤取出し器具。
(57)【要約】      （修正有）【課題】長期にわたり鳥害を防止する忌避効果が得られる鳥類忌避器具の提供。【解決手段】黒色系と黄色系の模様を施した略球体４から形成され、球体４の上に、生物の羽に見せかけるべく板３を設置し、糸類２と糸類２の先端に付けられた吊り下げ用のフック１、又は、地面に直置きするための簡易台、を備える。【選択図】図１
0003201642.tif 000002
【実用新案登録請求の範囲】
【請求項１】
黒色系と黄色系の模様を略球形状に施し、忌避効果を得られることを特徴とする鳥類忌避器具。
【請求項２】
球体の上に、生物の羽に見せかけるべく板を設置したことを特徴とした請求項１に記載の鳥類忌避器具。
【請求項３】
糸類とフックによる吊り下げ方式、更に地面に直置きすべく簡易台を用意したことを特徴とした請求項１に記載の鳥類忌避器具。
【考案の詳細な説明】
【技術分野】
【０００１】    本考案は、略球形状に警戒色である黒色系と黄色系の模様を施した鳥類忌避器具である。
【背景技術】
【０００２】    野鳥により、ベランダに干した洗濯物は糞に汚され、ゴミ集積所は荒らされ、果樹は食害される被害が多発しているが、これらを減らすためコンパクトディスクなど光るものや、目に模した風船等を吊り下げ鳥を威嚇したり、鳥の平行感覚を狂わせるといわれる磁石を吊り下げたりしている。また、ゴミ集積所では、カラスに中身を認識させにくくするために黄色のネットをかける等の対策がなされている。【０００３】    しかしながら従来の忌避器具では、設置した当初は警戒するものの、効果が長続きしないという欠点があった。
【先行技術文献】
【特許文献】
【０００４】
【特許文献１】特開２０１０−８１９２８号公報
【非特許文献】
【０００５】
【非特許文献１】杉田昭栄著  カラスおもしろ生態とかしこい防ぎ方
【考案の概要】
【考案が解決しようとする課題】
【０００６】    解決しようとする問題点は、鳥類忌避器具を仕掛けた時点では効きめがあるものの、効果が持続しない点である。
【課題を解決するための手段】
【０００７】    本考案は、黒色系と黄色系の模様という蜂や毒ヘビなどで知られる警戒色を利用し、鳥が危険に対して生まれつき持っている本能に訴えるものである。
【考案の効果】
【０００８】    本考案の鳥類忌避器具は、黒色系と黄色系の模様により毒を持った危険な生物を連想させ、ベランダやゴミ集積所、果樹園等を長期にわたり被害から守ることができる。
【図面の簡単な説明】
【０００９】
【図１】本考案の鳥類忌避器具の正面図である。
【図２】本考案を上から見た図である。
【図３】本考案の応用例図である。
【図４】本考案地面直置きの応用例図である。
【考案を実施するための形態】
【００１０】    本考案器具は、黒色系と黄色系の模様を施した略球形状、その上に生物の羽を模した板、それらを通して吊り下げるための糸から形成される。
【実施例１】
【００１１】    図１は、考案器具の１実施例の正面図であって、黒色系と黄色系の模様を施した球体に装着した糸が板を通り、糸の先端に吊り下げ用のフックが付く。
【産業上の利用可能性】
【００１２】  鳥害に悩まされている果樹園や畑での食害の低減や、近年問題になっている高圧線の鉄塔に営巣してしまうカラスに対しても効果を期待できる。
【符号の説明】
【００１３】  １    吊り下げ用フック
２    糸
３    板
４    略球形状の本体
５    黒色系の模様
６    黄色系の模様
７    簡易台
【図１】
0003201642.tif 000003
【図２】
0003201642.tif 000004
【図３】
0003201642.tif 000005
【図４】
0003201642.tif 000006
【手続補正書】
【提出日】平成27年9月18日(2015.9.18)
【手続補正１】
【補正対象書類名】実用新案登録請求の範囲
【補正対象項目名】全文
【補正方法】変更
【補正の内容】
【実用新案登録請求の範囲】
【請求項１】
黒色系と黄色系の模様を施した略球体から形成され、忌避効果を得られることを特徴とする鳥類忌避器具。
【請求項２】
前記球体の上に、生物の羽に見せかけるべく板を設置したことを特徴とする請求項１に記載の鳥類忌避器具。
【請求項３】
糸類と当該糸類の先端に付けられた吊り下げ用のフック、又は、地面に直置きするための簡易台、を備えることを特徴とした請求項１に記載の鳥類忌避器具。
(57)【要約】      （修正有）【課題】実際に出産補助をしているかのような体感ができる、出産補助のシミュレーションが可能なイヌ・ネコの出産補助モデルを提供する。【解決手段】イヌ・ネコを模した人形で、背面にチャックを有し、チャック内に空洞部を設けて新生児を模した物ｃを収め、生体の膣に相当する場所ｆからイヌ・ネコの新生児を模した物ｃを取り出すことができ、実際の出産補助を疑似体験できる。【選択図】図１
0003201648.tif 000002
【実用新案登録請求の範囲】
【請求項１】
イヌ、もしくはネコを模した人形で、後脚の間から物を取り出すことのできる出産補助モデル。
イヌ、もしくはネコを模した人形で、生体の膣に相当する部位から物を取り出すことのできる出産補助モデル。
【考案の詳細な説明】
【技術分野】
【０００１】  本開発は正常なイヌ・ネコの出産補助のシミュレーションモデルである。
【背景技術】
【０００２】  従来より、動物医療のトレーニングには実験動物が用いられてきたが、動物医療でも、医療同様に代替法の開発が必要である。動物医療トレーニングでのシュミレーションモデルにおいて、出産補助のトレーニングに用いるイヌ・ネコの出産補助モデルを作成した。
【先行技術文献】
【０００３】
【特許文献１】  心臓モデル  特開  ２０１３−０２９８２０
【特許文献２】  乳がん啓発用模型  実登  ３１３４１４５
【特許文献３】  イヌ・ネコの肛門モデル  実願  ２０１３−４３０９
【考案の概要】
【考案が解決しようとする課題】
【０００４】  本開発の課題は、実際に出産補助をしているかのような体感ができる出産補助のシミュレーションが可能なイヌ・ネコの出産補助モデルを提供すること。
【課題を解決するための手段】
【０００５】  イヌ・ネコを模した人形で、生体の膣に相当する場所からイヌ・ネコの新生児を模した物を取り出すことのでき、実際の出産補助を疑似体験できるイヌ・ネコの出産補助モデルを提供する。
【考案の効果】
【０００６】  獣医師・動物看護師の教育の場における出産補助のシミュレーションが可能である。
【図面の簡単な説明】
【０００７】
【図１】イヌ・ネコの出産補助モデル（横）
【図２】イヌ・ネコの出産補助モデル（上）
【図３】イヌ・ネコの出産補助モデル（下）
【図４】イヌ・ネコを模した新生児モデル（横）
【考案を実施するための形態】
【０００８】  本発明について詳細に説明する。本発明は、飼育動物であるイヌ・ネコを模した人形に、イヌ・ネコの新生児を模した物が付属されている。
【実施例】
【０００９】  図１について、イヌもしくはネコの生体を模した人形の背面に開口部（ａ）を設け、その開口部がチャック（ｂ）で簡単に開閉でき、その部位から人形内部に新生児を模した物（ｃ、ｄ、ｅ）を入れることができ、さらに生体の膣に相当する部位（ｆ）から、人形内部に入れた物を取り出すことが出来る人形である。
【符号の説明】
【００１０】ａ  開口部
ｂ  チャック
ｃ  新生児
ｄ  へその緒に見立てた紐
ｅ  胎盤に見立てた布
ｆ  膣に相当する場所
【図１】
0003201648.tif 000003
【図２】
0003201648.tif 000004
【図３】
0003201648.tif 000005
【図４】
0003201648.tif 000006
【手続補正書】
【提出日】平成27年9月24日(2015.9.24)
【手続補正１】
【補正対象書類名】実用新案登録請求の範囲
【補正対象項目名】全文
【補正方法】変更
【補正の内容】
【実用新案登録請求の範囲】
【請求項１】
背面にチャックを有し、チャック内の空洞は陰部に開いた膣を模した穴とつながったつくりになっている、チワワ様の出産補助モデル。
(57)【要約】      （修正有）【課題】常につま先を上げるくせをつけ、足筋肉を丈夫にすることができるつまづき防止プレートを提供する。【解決手段】足形に成形した板バネ材の前部を上方に屈曲させてなるプレートと、プレートの全面を覆う緩衝材とから成り、上履くつ下に挿入して使用することによって、板バネの上がる力とつま先の下がる力が相反してそれぞれの足筋肉を刺激して活性化させる。又使用後にも効力が持続するので常につま先を、上げるくせがつく。【選択図】図１
0003201644.tif 000002
【実用新案登録請求の範囲】
【請求項１】
板バネ材を足形に成形し前部を上方に屈曲させてなるプレートと
このプレートの全面を緩衝材で覆ってなる足筋肉老化とつまずき防止プレート
【請求項２】
請求項１記載のプレートを前部と後部に分割するとともに接合してなる足筋肉老化とつまずき防止プレート
【請求項３】
請求項１、請求項２、に記載のプレートにマジックテープを複数個所に設けてなる請求項１請求項２に記載の足筋肉老化とつまずき防止プレート。
【考案の詳細な説明】
【技術分野】
【０００１】本考案は足のつま先がよく上がらない人がよく上がるようにする
【背景技術】
【０００２】近年つまずき防止用に先端部分の上がってる靴が主流になっている
【考案の概要】
【考案が解決しようとする課題】
【０００３】足筋肉を活性化させ、つま先部分がよく上がるようにさせる【０００４】つま先部分を上げることによりつまずき転倒を防止させる
足筋肉の老化を遅らす
【課題を解決するための手段】
【０００５】本考案の課題を解決する手段は上記目的を達成さすため板バネ材を足型に成形し足指のつけ根部分より屈曲させその上に足を乗せることにより必然的につま先が上がる
【考案の効果】
【０００６】上記課題を解決する手段による効果は次の通りである。
すなわち板バネの上がる力と、つま先の下がる力が相反してそれぞれの足筋肉を刺激して活性化させる【０００７】常につま先が上がってる状態なので、つまずき防止には大なるものがある【０００８】使用後も効力が持続する
【実施例１】
【０００９】図において図１は板バネ材を足型に成形し足のつま先部分に屈曲部１０１設けたプレートである、図２はプレート全体を覆った布袋カバーである。
尚このカバーに代えてふかふか材をプレートにコーティグしたものでも良い
又上下に布を貼り周囲をふち取りしたものでも良い
【実施例２】
【００１０】実施例１と異なる点はバネプレート１ａと板プレート１ｂとを接着剤４で足形に接合したものである。
【実施例３】
【００１１】実施例１、２、のものにマジックテープ（６ａ６ｂ６ｃ６Ｄ）をカバー２の先端部  中間部、後部に設けたものである
【実施例４】
【００１２】くつ下底部にマジックテープ（７ａ７ｂ７ｃ７Ｄ）を設け実施例３と一体化させ使用する
【図面の簡単な説明】
【００１３】
【図１】板バネを上に屈曲させた図
【図２】板バネを他の材料と接着した図
【図３】図１にマジックテープをつけた図
【図４】くつ下底部にマジックテープをつけた図
【図１】
0003201644.tif 000003
【図２】
0003201644.tif 000004
【図３】
0003201644.tif 000005
【図４】
0003201644.tif 000006
【手続補正書】
【提出日】平成27年9月24日(2015.9.24)
【手続補正１】
【補正対象書類名】実用新案登録請求の範囲
【補正対象項目名】全文
【補正方法】変更
【補正の内容】
【実用新案登録請求の範囲】
【請求項１】
足形に成形した板バネ材の前部を上方に屈曲させてなるプレートと、前記プレートの全面を覆う緩衝材とから成ることを特徴とする足筋肉老化とつまずき防止プレート。
【請求項２】
前記プレートを前部と後部に分割するとともに接合してなることを特徴とする請求項１に記載の足筋肉老化とつまずき防止プレート。
【請求項３】
前記プレートの複数箇所に面ファスナーを設けたことを特徴とする請求項１又は２に記載の足筋肉老化とつまずき防止プレート
(57)【要約】      （修正有）【課題】実際に出産補助をしているかのような疑似体感ができ、出産補助のシミュレーションが可能な、近いイヌ・ネコの新生児モデルを提供する。【解決手段】ウレタンを用い、現物に近い大きさ、硬さを再現し、腹部表面に小さな溝ｅを設け、へその緒に見立てた紐ａを迅速に着脱することができ、へその緒の先に胎盤に見立てた布ｂが付属しているイヌ・ネコの新生児モデルｃを設ける。【選択図】図２
0003201647.tif 000002
【実用新案登録請求の範囲】
【請求項１】
イヌもしくはネコの新生児を模した新生児モデル。
イヌもしくはネコの生体の新生児の形、色、感触を再現した新生児モデル。
【請求項２】
へその緒に見立てた紐と、それに付属した胎盤に見立てた布が着脱できる新生児モデル。
へその緒に見立てた紐と、それに付属した胎盤に見立てた布が容易に着脱できる新生児モデル。
【考案の詳細な説明】
【技術分野】
【０００１】本開発は正常なイヌ・ネコの出産モデルに関する、新生児のパーツである。
【背景技術】
【０００２】従来より、動物医療のトレーニングには実験動物が用いられてきているが、動物医療でも代替法の開発が必要である。動物医療トレーニングでのシュミレーションモデルにおいて、出産補助のトレーニングに用いる新生児モデルを作成した。
【先行技術文献】
【０００３】
【特許文献１】  心臓モデル  特開  ２０１３−０２９８２０
【特許文献２】  乳がん啓発用模型  実登  ３１３４１４５
【特許文献３】  イヌ・ネコの肛門モデル  実願  ２０１３−４３０９
【考案の概要】
【考案が解決しようとする課題】
【０００４】本開発の課題は、実際に出産補助をしているかのような疑似体感ができる、出産補助のシミュレーションが可能な生体に近いイヌ・ネコの新生児モデルを提供すること。
【課題を解決するための手段】
【０００５】ウレタンを用い、現物に近い大きさ、硬さを再現し、腹部表面に小さな溝を設け、へその緒に見立てた紐を迅速に着脱することができ、へその緒に見立てた紐の先に胎盤に見立てた布が付属しているイヌ・ネコの新生児モデルを提供する。
【考案の効果】
【０００６】獣医師・動物看護師の教育の場における出産補助のシミュレーションが可能である。
【図面の簡単な説明】
【０００７】
【図１】新生児モデル（横）
【図２】新生児モデル（下）
【図３】新生児モデル（正面）
【考案を実施するための形態】
【０００８】本発明について詳細に説明する。本発明は、飼育動物であるイヌ・ネコの新生児の感触、色、サイズを実現させた、へその緒に見立てた紐（ａ）と胎盤に見立てた布（ｂ）が着脱可能な、ウレタン製の新生児モデル（ｃ）である。
【実施例１】
【０００９】図１の新生児モデルについては、獣医師、動物看護師の指導の下に新生児のイヌ、もしくはネコを模した型を作成し、適切な触感の着色したウレタンを注入し開発した新生児モデルである。
【実地例２】
【００１０】新生児モデルには、生体の新生児のへそに位置する場所に小さな溝（ｅ）を設けてあり、その溝にへその緒に見たてた紐（ａ）を止められるようにした新生児モデルである。
【符号の説明】
【００１１】ａ  へその緒に見立てた紐
ｂ  胎盤に見立てた布
ｃ  新生児
ｅ  溝
【図１】
0003201647.tif 000003
【図２】
0003201647.tif 000004
【図３】
0003201647.tif 000005
【手続補正書】
【提出日】平成27年9月24日(2015.9.24)
【手続補正１】
【補正対象書類名】実用新案登録請求の範囲
【補正対象項目名】全文
【補正方法】変更
【補正の内容】
【実用新案登録請求の範囲】
【請求項１】
イヌもしくはネコの生体の新生児の形、色、触感を再現した新生児モデル。
【請求項２】
前記新生児モデルは、さらに、へその緒に見立てた紐を着脱するための溝を有しており、前記紐は、胎盤に見立てた布が付属していることを特徴とする請求項１に記載の新生児モデル。